(57)【要約】  【課題】履物に使用するときは履いたり脱いだりするのが簡単に行えながらも、不意に脱げたりすることがなく、また、履物だけでなく衣服の保形その他にも幅広く使用することが出来る連結保持具を提供できるようにする。【解決手段】扁平な索条もしく細幅ベルト、或いは伸縮性を有する扁平な索条もしく細幅ベルトの両端部に開閉可能なクリップを設けると共に、両クリップ間の扁平な索条もしく細幅ベルトに当該扁平な索条もしく細幅ベルトの長さを調節する長さ調節具を設けてなり、両端のクリップを所望する連結部に装着し、前記長さ調節具で調節した連結部間の間隔を保持する構成した。【選択図】図１
2010057555.tif 000002
【特許請求の範囲】
【請求項１】
扁平な索条もしく細幅ベルト、或いは伸縮性を有する扁平な索条もしく細幅ベルトの両端部に開閉可能なクリップを設けると共に、両クリップ間の扁平な索条もしく細幅ベルトに当該扁平な索条もしく細幅ベルトの長さを調節する長さ調節具を設けてなり、両端のクリップを所望する連結部に装着し、前記長さ調節具で調節した連結部間の間隔を保持する構成したことを特徴とする連結保持具。
【請求項２】
連結部が、スリッパやサンダル、ミュール等、足の甲部分を覆い、踵部分が解放された履物における足の甲を覆う部分の踵側の端部であることを特徴とする請求項１に記載の連結保持具。
【請求項３】
連結保持具が、衣服の保形ないし保持するために使用されるものである請求項１に記載の連結保持具。
【発明の詳細な説明】
【技術分野】
【０００１】
本発明は、例えばスリッパやサンダル、ミュール等の脱げ易い履物や、衣服の保形などに幅広く使用される連結保持具に関するものである。
【背景技術】
【０００２】
病院や医院の患者や職員等が使用するスリッパやサンダル等、ソールの上部に足の甲部分を覆うハネといわれる部分だけを備えてなる履物は、簡単に履きやすい利点があるものの、簡単に脱げてしまうという問題があった。
特に、急いで階段を登ったり下ったりするときに、その履物が不意に脱げてしまうと足をくじいたり転倒する危険もある。
また、歩行の不自由な人達の場合にはその危険が顕著なものとなる。
【０００３】
そこで、こうした問題に対処するために、特許文献１に示されるように、スリッパ の甲被の内面側に設けられたタオル地、スポンジ、ゴム、弾性樹脂、合成皮革、その他弾性部材等で構成する少なくとも弾性を有する緩衝部材の脱抜防止体を設け、この緩衝部材の脱抜防止体を前記甲被挿入口よりつま先に向かって連続又は間欠式等に設け、かつ当該緩衝部材の脱抜防止体を前記甲被のほぼ１／２程度の長さ設ける構成とした脱抜防止用のスリッパ が先に提案されている。
【０００４】
ところが、こうした先の提案にかかるスリッパでは、脱抜防止体が甲被挿入口よりつま先に向う部分に固定されていることから、脱げにくい反面、履き難いという問題がある。
【特許文献１】登録実用新案第３００４９３５号公報
【発明の開示】
【発明が解決しようとする課題】
【０００５】
本発明は上記問題点に鑑み提案されたもので、履物に使用するときは履いたり脱いだりするのが簡単に行えながらも、不意に脱げたりすることがなく、また、履物だけでなく衣服の保形その他にも幅広く使用することが出来る連結保持具を提供できるようにすることを目的とするものである。
【課題を解決するための手段】
【０００６】
上記目的を達成するために本発明にかかる連結保持具は、扁平な索条もしく細幅ベルト、或いは伸縮性を有する扁平な索条もしく細幅ベルトの両端部に開閉可能なクリップを設けると共に、両クリップ間の扁平な索条もしく細幅ベルトに当該扁平な索条もしく細幅ベルトの長さを調節する長さ調節具を設けてなり、両端のクリップを所望する連結部に装着し、前記長さ調節具で調節した連結部間の間隔を保持する構成したことを最も主要な特徴とするものである。
【０００７】
また、本発明にかかる連結保持具では、連結部が、スリッパやサンダル、ミュール等のソールの上面に足の甲部分を覆うハネといわれる部分だけを備え、踵部分が解放された形式の履物における足の甲を覆う部分の踵側の端部であることや、連結保持具が、衣服の保形ないし保持するために使用されるものであることも特徴とするものである。
【発明の効果】
【０００８】
本発明にかかる連結保持具によれば、これをスリッパやサンダル、ミュール等の履物に使用する場合、先ず、所望する履物に足を挿入してその履物を履いた状態にする。
このとき、一般の履きやすい履物と異ならず、簡単に履くことができる。
【０００９】
次に、本発明の連結保持具の、扁平な索条もしく細幅ベルト、或いは伸縮性を有する扁平な索条もしく細幅ベルトの両端部に設けた開閉可能なクリップの一方を履物の足の甲を覆う部分の踵側の一方の端部に連結するとともに、長さ調節具で長さを調節して他方のクリップを履物の足の甲を覆う部分の他方の端部に連結すると、履物は足にしっかりとフィットした状態になり、階段の上り下りにも不意に脱げたりすることがなく、履物が不意に脱げてしまうことによる足をくじいたり転倒する危険を未然に防止することができる。
そして、履物を脱ぐ場合、連結保持部の一方のクリップを外すだけで足が解放されることから、履物を簡単に脱ぐことができる利点がある。
【００１０】
また、本発明にかかる連結保持具は、扁平な索条もしく細幅ベルト、或いは伸縮性を有する扁平な索条もしく細幅ベルトの両端部に開閉可能なクリップを設けると共に、両クリップ間の扁平な索条もしく細幅ベルトに当該扁平な索条もしく細幅ベルトの長さを調節する長さ調節具を設けた簡単な構成であり、かさばらないことから、これをバッグ等に入れて携行することにより、着物の裾をたくしあげたり、着付けや着なおすときの小物としても幅広く使用したりすることができる利点もある。
【発明を実施するための最良の形態】
【００１１】
以下、本発明にかかる連結保持具の最も好ましい実施の形態を図面に基づいて説明する。
図１は連結保持具の平面図、図２は連結保持具の側面図であって、図中符号１は連結保持具を全体的に示す。
この連結保持具１は、ゴム糸や伸縮性繊維を極細繊維でカバーリングした弾性糸を経糸に、ポリエステル等の合成繊維を横糸にして細幅に製織したベルト２と、当該ベルト２の一端に設けたクリップ３と、ベルト２の他端を折り返し、その先端部分に取り付けられた長さ調節具４と、長さ調節具４が前記ベルト２の中寄り部に取り付けられて形成された環状部分５に装着されたクリップ６とを備えてなる。
【００１２】
上記両端のクリップ３・６は、矩形をした上下２つの挟み部材７・８とベルト連結部９とから成り、ベルト連結部９を図３に示すように下方に折り曲げることにより、挟み部材７・８がベルト連結部９の近傍部分を支点として先端部分が大きく開口し、ベルト連結部９を戻すと挟み部材７・８同志が当接するように口を閉じて両挟み部材７・８間の部材をしっかりと挟んで固定する一般的なクリップの構造になっている。
因みに、両挟み部材７・８が対面する先端寄り部分にはシリコンゴム等から成る滑り止め部材１０が貼着されているが、これは棘状の突起にすることもでき、こうした場合には挟み部材７・８の成型時に一体に形成することができる利点がある。
【００１３】
上記長さ調節具４は、図３に示すようにベルト端連結部１１を折り起こすとその端部に形成された食い込み部１２が起き上がりベルト嵌合部１３が自由に動く状態になり、ベルト端連結部を倒すと、食い込み部１２がベルトに食い込み、ベルト嵌合部１３が固定される周知構造のものになっており、こうした操作により、連結保持具１の長さが調整されるようになっている。
【００１４】
上記のように構成された連結保持具１を図４に示すようにスリッパ１４等のソール１５の上面に足の甲部分を覆うハネといわれる部分１６だけを備えた履物に使用する場合を例に説明する。
先ず、ベルト２の一端に設けられたクリップ３を、そのベルト連結部９を下方に折り曲げ、挟み部材７・８を、ベルト連結部９の近傍部分を支点として先端部分を大きく開口させる。
そして、この開口部を、スリッパ１４の足の甲を覆う部分１６の踵側の一方の周縁部に挿入した後、ベルト連結部９を戻すと挟み部材７・８同志が当接するように口を閉じて両挟み部材７・８に挿入された上記スリッパ１４の周縁部をしっかりとはさみ、当該クリップ３が固定される。
【００１５】
次に、スリッパ１４に足を挿入してから、長さ調節具４を上述した手順で、ベルト端連結部１１を折り起してその端部に形成された食い込み部１２を起立させ、ベルト嵌合部１３を移動させることにより連結保持具１を所望する長さに設定した後、再びベルト端連結部１１を倒してベルト嵌合部１３を固定する。
しかる後、他方のクリップ６をスリッパ１４の足の甲を覆う部分１６の他方の周縁部に、上述した手順と同様にして固定すると、スリッパ１４は足にしっかりとフィットした状態になる。
こうしてスリッパ１４に挿入された足が連結保持具１でしっかりと保持されると、階段の上り下りにも不意に脱げたりすることがなくなる。
一方、スリッパ１４を脱ぐ場合、片方のクリップ３・６を外すだけで、足をスリッパ１４から簡単に脱ぐことができるので、老人でも簡単に操作することができる
【００１６】
尚、上記の例では本発明を実施する履物をスリッパ１４で説明してあるが、履物はサンダルに限られることなく、サンダルやミュール等の履物でソールの上面に足の甲部分を覆うハネといわれる部分だけを備えてなる履物にも実施することができる。
特に、ミュールに実施する場合、ソール部分が足にフィットすることから、上記効果に加えて、例えば階段を降りるときの耳障りな甲高い騒音をなくすことができる利点がある。
【００１７】
また、上記の実施例では、本発明にかかる連結保持具１のベルト部分を、ゴム糸や伸縮性繊維を極細繊維でカバーリングした弾性糸を経糸に、ポリエステル等の合成繊維を横糸にして細幅に製織して伸縮弾性を有するようにあるが、こうしたもの限られず、伸縮性のないベルトや紐等の索条で形成することができるのは勿論のことである。
【００１８】
さらに、本発明にかかる連結保持具１は、上記のように履物だけに使用されるものではなく、図５に示すように女性のスカート１７の吊ベルト１８や、図四は省略したが下着のストラップ間に装着して着くずれを防止したり、着物の着付け時の補助具として使用したり、図６に示すようにバッグ１９の開口部２０に装着することにより、内容物の飛び出しを防いだりすること等、本発明の連結保持具１は、多用途に実施することができるものである。
【図面の簡単な説明】
【００１９】
【図１】は本発明にかかる連結保持具の平面図である。
【図２】は本発明にかかる連結保持具の側面図である。
【図３】は本発明にかかる連結保持具のクリップを開いた状態の斜視図である。
【図４】は本発明にかかる連結保持具の使用状態の斜視図である。
【図５】は本発明にかかる連結保持具の別の使用状態を示す正面図である。
【図６】は本発明にかかる連結保持具のさらに別の使用状態を示す斜視図である。
【符号の説明】
【００２０】
１・・・連結保持具
２・・・ベルト
３・６・・・クリップ
４・・・長さ調節具
１４・・・スリッパ
１５・・・ソール
１６・・・ハネ（甲の部分を覆う部分）
１７・・・衣服（スカート）
１９・・・バッグ
【図１】
2010057555.tif 000003
【図２】
2010057555.tif 000004
【図３】
2010057555.tif 000005
【図４】
2010057555.tif 000006
【図５】
2010057555.tif 000007
【図６】
2010057555.tif 000008